(57)【要約】      （修正有）【課題】投影された画面の周辺部でも鮮鋭な画像となるプロジェクター用のズームレンズを提供する。【解決手段】４枚以上のレンズから構成され、全体として負屈折力で、光軸方向に移動可能な第１レンズ群Ｇ１と、３枚以上のレンズから構成され、全体として正屈折力で、光軸方向に移動可能な第２レンズ群Ｇ２と、２枚以上のレンズから構成され、全体として負屈折力で、固定されるか又は光軸方向に移動可能な第３レンズ群Ｇ３と、５枚以上のレンズから構成され、全体として正屈折力の第４レンズ群Ｇ４と、を含み、第１レンズ群Ｇ１、第２レンズ群Ｇ２又は第３レンズ群Ｇ３のうちいずれか一つのレンズ群が光軸上を移動することにより、合焦が可能であり、全系で最も短くなるときの焦点距離をｆｗとし、第２レンズ群Ｇ２を構成する全てのレンズの光軸上の総厚をＬｇ２としたとき、条件０．８≦Ｌｇ２／ｆｗ≦５．０を満足することを特徴とするズームレンズ。【選択図】図１
2020126209.tif 000002
【特許請求の範囲】
【請求項１】
物体側から像面側へ、光軸上に、順に、
４枚以上のレンズから構成され、全体として負屈折力で、焦点距離を変化させるために前記光軸方向に移動可能な第１レンズ群と、
３枚以上のレンズから構成され、全体として正屈折力で、焦点距離を変化させるために前記光軸方向に移動可能な第２レンズ群と、
２枚以上のレンズから構成され、全体として負屈折力で、焦点距離を変化させることに対し固定されるか又は前記光軸方向に移動可能な第３レンズ群と、
５枚以上のレンズから構成され、全体として正屈折力の第４レンズ群と、を含み、
前記第１レンズ群、前記第２レンズ群又は前記第３レンズ群のうちいずれか一つのレンズ群が前記光軸上を移動することにより、合焦が可能であり、
前記第４レンズ群の最も前記像側のレンズ面から前記像面までの距離をＬｉｍとし、全系の射出側瞳位置から前記像面までの距離をＰとし、全系で最も短くなるときの焦点距離をｆｗとし、前記第２レンズ群を構成する全てのレンズの前記光軸上の総厚をＬｇ２としたとき、以下の条件を満足することを特徴とするズームレンズ。
｜Ｌｉｍ／Ｐ｜≦０．３
１．０≦Ｌｉｍ／ｆｗ≦６．０
０．８≦Ｌｇ２／ｆｗ≦５．０
【請求項２】
全系が最も焦点距離の短い状態のときの全長をＬａｌｌとしたとき、以下の条件を満足することを特徴とする請求項１記載のズームレンズ。
５．０≦Ｌａｌｌ／ｆｗ≦１２．０
【請求項３】
前記第１レンズ群を構成するレンズの前記光軸上の総厚をＬｇ１とし、前記第２レンズ群の焦点距離前をｆ２とし、前記第１レンズ群の最大レンズ径をφ１とし、全系が最も焦点距離の短い状態のときの全長をＬａｌｌとしたとき、以下の条件を満足することを特徴とする請求項１又は２記載のズームレンズ。
０．８≦Ｌｇ２／Ｌｇ１≦５．０
０．８≦ｆ２／Ｌｇ２≦７．０
０．１≦φ１／Ｌａｌｌ≦０．５
【請求項４】
前記第４レンズ群は、材質が屈折率１．６１以下でアッベ数６５以上のレンズを少なくとも２枚含むことを特徴とする請求項１乃至３記載のズームレンズ。
【請求項５】
前記第２レンズ群は、３枚貼り合わせレンズを含むことを特徴とする請求項１乃至４記載のズームレンズ。
【発明の詳細な説明】
【技術分野】
【０００１】  本発明は、ズームレンズに関する。特に、プロジェクター用のズームレンズに関する。
【背景技術】
【０００２】  プロジェクター用のズームレンズとして、例えば、下記の特許文献１及び２に記載されたものが知られている。
【先行技術文献】
【特許文献】
【０００３】
【特許文献１】特開２０１４−３５４５９
【特許文献２】特開２０１７−１７３５８８
【発明の概要】
【発明が解決しようとする課題】
【０００４】  しかし、従来のプロジェクター用のズームレンズでは、投影された画面の周辺部で、像がボケていたり、色が滲んでいたりしていた。【０００５】  本発明は、上記問題点に鑑み、投影された画面の周辺部でも鮮鋭な画像となるプロジェクター用のズームレンズを提供することを目的とする。
【課題を解決するための手段】
【０００６】  上記目的を達成するために、本発明では、物体側から像面Ｉｍ側へ、光軸上に、順に、４枚以上のレンズから構成され、全体として負屈折力で、焦点距離を変化させるために前記光軸方向に移動可能な第１レンズ群Ｇ１と、３枚以上のレンズから構成され、全体として正屈折力で、焦点距離を変化させるために前記光軸方向に移動可能な第２レンズ群Ｇ２と、２枚以上のレンズから構成され、全体として負屈折力で、焦点距離を変化させることに対し固定されるか又は前記光軸方向に移動可能な第３レンズ群Ｇ３と、５枚以上のレンズから構成され、全体として正屈折力の第４レンズ群Ｇ４と、を含み、前記第１レンズ群Ｇ１、前記第２レンズ群Ｇ２又は前記第３レンズ群Ｇ３のうちいずれか一つのレンズ群が前記光軸上を移動することにより、合焦が可能であり、前記第４レンズ群Ｇ４の最も前記像Ｉｍ側のレンズ面から前記像面Ｉｍまでの距離をＬｉｍとし、全系の射出側瞳位置から前記像面ＩｍまでのをＰとし、全系で最も短くなるときの焦点距離をｆｗとし、前記第２レンズ群Ｇ２を構成する全てのレンズの前記光軸上の総厚をＬｇ２としたとき、以下の条件（１）、（２）及び（３）を満足することを特徴とするズームレンズを提供する。
｜Ｌｉｍ／Ｐ｜≦０．３        （１）
１．０≦Ｌｉｍ／ｆｗ≦６．０      （２）
０．８≦Ｌｇ２／ｆｗ≦５．０      （３）
【発明の効果】
【０００７】  本発明により、投影された画面の周辺部でも、鮮鋭な画像のズームレンズを提供することが可能になる。
【図面の簡単な説明】
【０００８】
【図１】図１は、第１実施例のズームレンズの断面図である。
【図２】図２は、第１実施例のズームレンズの諸収差図である。
【図３】図３は、第２実施例のズームレンズの断面図である。
【図４】図４は、第２実施例のズームレンズの諸収差図である。
【図５】図５は、第３実施例のズームレンズの断面図である。
【図６】図６は、第３実施例のズームレンズの諸収差図である。
【図７】図７は、第４実施例のズームレンズの断面図である。
【図８】図８は、第４実施例のズームレンズの諸収差図である。
【発明を実施するための形態】
【０００９】  実施形態では、先ず、４群構成のズームレンズとする。このとき、第１レンズ群Ｇ１は、負の屈折力で、焦点距離を変化させるために光軸方向に移動可能とし、第２レンズ群Ｇ２は、正の屈折力で、焦点距離を変化させるために光軸方向に移動可能とする。第３レンズ群Ｇ３は、負の屈折力で、焦点距離が変化しても固定の場合もあり、焦点距離を変化させるために光軸方向に移動可能とする場合もある。第４レンズ群Ｇ４は、正の屈折力である。この様にすることで、簡易な構成で、製造し易いズームレンズとすることが可能になる。
【００１０】  尚、ズームレンズの構造を簡素にすることを考えると、第３レンズ群Ｇ３は、焦点距離が変化しても固定されていることが好ましい。また、同様に、ズームレンズの構造を簡素にすることを考えると、第４レンズ群Ｇ４も、焦点距離が変化しても固定されていることが好ましい。
【００１１】  第１レンズ群Ｇ１は、全体として４枚以上のレンズから構成されることにより、諸収差、特に歪曲収差及び非点収差を良好に補正することが可能になる。特に、材質が屈折率１．６１以下でアッベ数６５以上のレンズを１枚以上含むことが好ましく、色収差を良好に補正することが可能になる。
【００１２】  第２レンズ群Ｇ２は、全体として３枚以上のレンズから構成されることにより、諸収差、特に色収差を良好に補正することが可能になる。
【００１３】  第３レンズ群Ｇ３は、全体として２枚以上のレンズから構成されることにより、諸収差、特に球面収差及びコマ収差を良好に補正することが可能になる。
【００１４】  第４レンズ群Ｇ４は、全体として５枚以上のレンズから構成されることにより、諸収差を良好に補正することが可能になる。また、特に、材質が屈折率１．６１以下でアッベ数６５以上のレンズを少なくとも２枚以上含むことが好ましく、色収差を良好に補正することが可能になる。
【００１５】  合焦するときは、前記第１レンズ群Ｇ１、前記第２レンズ群Ｇ２又は前記第３レンズ群Ｇ３のうちいずれか一つのレンズ群が前記光軸上を移動する。特に、構造を簡素化するために、第３レンズ群Ｇ３を合焦の際に光軸上を移動させることが好ましい。
【００１６】  条件（１）は、プロジェクターに好適なズームレンズとするための条件である。条件（１）の上限を超えると、主光線が像面Ｉｍに垂直に近い状態で入射しなくなるため、好ましくない。
【００１７】  条件（２）も、プロジェクターに好適なズームレンズとするための条件である。条件（２）の上限を超えると、バックフォーカスが短くなり過ぎ、色分解プリズム等のプリズムを入れることが困難になるため、好ましくない。また、条件（２）の下限を超えると、バックフォーカスが長くなり過ぎ、高性能を維持するために構成レンズ枚数が多くなり、光学系が大型化するため、好ましくない。
【００１８】  条件（３）は、色収差を良好に補正するための条件である。条件（３）の上限を超えると、レンズ全長が長くなりすぎ、装置として大型化してしまうので、好ましくない。また、条件（３）の下限を超えると、色収差を良好に補正することが難しくなり、好ましくない。尚、下限を１．０とし、上限を４．０とすれば、更に良い結果が得られる。
【００１９】  また、実施形態では、全系で最も短くなるときの焦点距離をｆｗとし、全系が最も焦点距離の短い状態のときの全長をＬａｌｌとしたとき、以下の条件（４）を満足することが好ましい。
５．０≦Ｌａｌｌ／ｆｗ≦１２．０      （４）
【００２０】  条件（４）は、性能を良くするための条件である。条件（４）の上限を上回ると、全長が長くなりすぎ、好ましくない。また、条件（４）の下限を下回ると、良好な性能を維持することが困難になるため、好ましくない。
【００２１】また、実施形態では、前記第１レンズ群Ｇ１を構成するレンズの前記光軸上の総厚をＬｇ１とし、前記第２レンズ群Ｇ２の焦点距離前をｆ２とし、前記第１レンズ群Ｇ１の最大レンズ径をφ１としたとき、以下の条件（５）、（６）及び（７）を満足することが好ましい。
０．８≦Ｌｇ２／Ｌｇ１≦５．０      （５）
０．８≦ｆ２／Ｌｇ２≦７．０        （６）
０．１≦φ１／Ｌａｌｌ≦０．５      （７）
条件（５）及び（６）は、色収差を良好に補正するための条件である。条件（５）及び（６）の上限を超えると、レンズ全長が長くなりすぎ、装置として大型化してしまうので、好ましくない。また、条件（５）及び（６）の下限を超えると、色収差を良好に補正することが難しくなり、好ましくない。尚、条件（５）の下限を１．０とし、上限を４．５とすれば、更に良い結果が得られる。また、条件（６）の下限を１．０とし、上限を５．０とすれば、更に良い結果が得られる。
【００２２】  条件（７）は、プロジェクターズームレンズの形状を適切なものにする条件である。条件（７）の上限を超えると、レンズ径が大きくなりすぎ、装置への適合が難しくなるため、好ましくない。条件（７）の下限を超えると、レンズ径が小さくなり過ぎ、性能を維持することが困難になり、好ましくない。条件（７）の上限を０．３とすれば、更に良い結果が得られる。
【００２３】  また、実施形態では、前記第１レンズ群Ｇ１の焦点距離前をｆ１とし、前記第２レンズ群Ｇ２の焦点距離前をｆ２とし、前記第３レンズ群Ｇ３の焦点距離前をｆ３とし、前記第４レンズ群Ｇ４の焦点距離前をｆ４としたとき、以下の条件（８）、（９）、（１０）及び（１１）を満足することが好ましい。
−５．０≦ｆ１／ｆｗ≦−１．０        （９）
１．０≦ｆ２／ｆｗ≦５．０        （１０）
８．０≦ｆ３／ｆｗ≦−１．０      （１１）
１．０≦ｆ４／ｆｗ≦５．０        （１２）
【００２４】  上記各条件（８）、（９）、（１０）及び（１１）は、各レンズ群の適正な屈折力を規定するための条件である。各条件の上限又は下限を超えると、性能劣化や光学系全体の大型化につながり、好ましくない。
【００２５】  第２レンズ群Ｇ２は、３枚貼り合わせレンズを含むことが好ましい。３枚貼り合わせレンズとすることで、色収差を良好に補正することが可能になる。
【００２６】  第３レンズ群Ｇ３は、２枚貼り合わせレンズを含むことが好ましい。貼り合わせレンズとすることで、特に、球面収差及びコマ収差を補正することが可能になる。
【００２７】  前記第１レンズ群Ｇ１の最も物体側に配置されるレンズの厚さをＬＬ１１としたとき、以下の条件を満足することが好ましい。
３．０≦Ｌｇ２／ＬＬ１１≦１５      （１３）
【００２８】  条件（１３）は、色収差を良好に補正するための条件である。条件（１３）の上限を超えると、レンズ全長が長くなりすぎ、装置として大型化してしまうので、好ましくない。また、条件（１３）の下限を超えると、色収差を良好に補正することが難しくなり、好ましくない。条件（１３）の下限を４．０とし、上限を１１とすれば、更に良い結果が得られる。
【実施例】
【００２９】  以下に、各実施例を説明する。【００３０】  各実施例のズームレンズは全て、物体側から順に、第１レンズ群Ｇ１、第２レンズ群Ｇ２、第３レンズ群Ｇ３、第４レンズ群Ｇ４、プリズム部Ｐと配置される。また、プリズム部Ｐの第４レンズ群Ｇ４とは反対側に、像面Ｉｍが形成される。【００３１】  また、以下の各実施例では、焦点距離が変化することをズーミングと呼び、焦点距離の最も短い状態をワイド端Ｗと呼び、焦点距離が最も長い状態をテレ端Ｔと呼び、焦点距離がワイド端Ｗとテレ端Ｔとの中間の状態をミドルＭと呼ぶこととする。【００３２】  尚、図１、図３、図５及び図７の上方のレンズ断面図は、のワイド端Ｗでの断面図であり、その下の矢印線は、ズーミングによりミドルＭを経てテレ端Ｔまで各レンズ群がどのように動くかを示している。一番下に記されている両矢印は、合焦を行うことを示している。【００３３】  図２、図４、図６及び図８は、各実施例の収差図である。図面上方がワイド端Ｗでの各収差図で、図面下方がテレ端Ｔでの各収差図である。また、各収差を示す図は、左側から順に、（ａ）球面収差図、（ｂ）非点収差図、（ｃ）歪曲収差図である。
球面収差図は、縦軸に相対的な入射高を示し、横軸に収差量を示している。図中、ＦはＦ線（波長４８６ｎｍ）を示し、ｄはｄ線（波長５８８ｎｍ）を示し、ＣはＣ線（波長６５６ｎｍ）を示している。【００３４】  非点収差図は、縦軸に像高を示し、横軸に収差量を示している。また、実線はメリディオナル像面Ｍを示し、点線はサジタル像面Ｓを示している。【００３５】  歪曲収差図は、縦軸に像高を示し、横軸にパーセント表示の収差量を示している。【００３６】  尚、各実施の基本データの表は、左側から順に、レンズ面番号、曲率半径ｒ、面間隔ｄ、ｄ線屈折率ｎｄ、アッベ数νｄを示している。【００３７】  各実施例の長さの単位はｍｍ（ミリメートル）である。しかし、光学系は比例拡大または比例縮小しても同様の光学性能が得られるため、単位はｍｍに限られるものではない。【００３８】（第１実施例）
第１実施例のズームレンズは以下の通りであり、図１を参照しながら説明する。【００３９】  第１レンズ群Ｇ１は、順に、両凸レンズＬ１１と、物体側に凸面を向けた負メニスカスレンズＬ１２と、両凹レンズＬ１３と、物体側に凹面を向けた正メニスカスレンズＬ１４と、から構成される。【００４０】  第２レンズ群Ｇ２は、順に、両凸レンズＬ２１と両凹レンズＬ２２と両凸レンズＬ２３との３枚貼り合わせレンズと、両凸レンズＬ２４と、から構成される。【００４１】  第３レンズ群Ｇ３は、順に、絞りＳと、物体側に凹面を向けた正メニスカスレンズＬ３１両凹レンズＬ３２ととの貼り合わせレンズから構成される。【００４２】  第４レンズ群Ｇ４は、順に、物体側に凹面を向けた負メニスカスレンズＬ４１と物体側に凹面を向けた正メニスカスレンズＬ４２との貼り合わせレンズと、物体側に凹面を向けた正メニスカスレンズＬ４３と、両凸レンズＬ４４と、両凸レンズＬ４５と物体側に凹面を向けた負メニスカスレンズＬ４６との貼り合わせレンズと、から構成される。【００４３】  第４レンズ群Ｇ４の像面Ｉｍ側には、プリズム部Ｐが配置される。【００４４】  ワイド端Ｗからテレ端Ｔへのズーミングの際に、第１レンズ群Ｇ１は、物体から遠ざかる方向に移動し、第２レンズ群Ｇ２は、物体に近づく方向に移動し、第３レンズ群Ｇ３は、物体に近づく方向に移動する。第４レンズ群Ｇ４は、ズーミングの際に、固定である。【００４５】  合焦の際には、第１レンズ群Ｇ１が、光軸方向に動き、ピント合わせを行う。【００４６】  以下に、本実施例の緒元、基本データ、ズームデータ、合焦及び条件対応値を示す。
（緒元）
Ｗ〜  Ｍ〜  Ｔ
焦点距離  ２４．５〜２９．０〜３５．１
開放Ｆ値  全域で２．５
物体から第１レンズ面までの距離  ２２５００〜４５００
像高  １１．０
プリズム部Ｐの最終面から像面Ｉｍまでの距離  １５．５【００４７】（基本データ）
面番号        ｒ                ｄ            ｎｄ                νｄ
１    ７８．５８３        ４．６２４    １．８８３００    ４０．７６
２    −１１５２．０４５  ０．２００
３    ３４３．４１６      ２．６００    １．６０３００    ６５．４４
４    ４６．３４０        １０．１８８
５    −７５．２４５      ３．０８９    １．４９７００    ８１．５４
６    ８２．４５５        ２．８３２
７    −１６２．３１２    ８．３００    １．８３４８１    ４２．７３
８    −１２５．３０６    可変
９    ３５２．９２０      １０．０００  １．５１７４２    ５２．４３
１０    −６６．１９４      ７．５００    １．７４９５０    ３５．３３
１１    ４０．０００        ６．５００    １．７５５００    ５２．３２
１２    −１０３．８３１    ０．２００
１３    ７３．８５５        ３．６００    １．６０３００    ６５．４４
１４    −２８９．４６４    可変
１５    ∞                  １２．２９５
１６    −３５．３０８      ２．７００    １．９２２８６    １８．９０
１７    −２４．７０７      １．３００    １．６０３００    ６５．４４
１８    ７４．８１１        可変
１９    −３３．６５３      ３．４９５    １．７３８００    ３２．３３
２０    −２４３．３９８    ５．５００    １．４９７００    ８１．５４
２１    −３４．５２０      ０．２００
２２    −３８６．８２３    ４．０００    １．６０３００    ６５．４４
２３    −６３．８２２      ０．２００
２４    ３００．９６８      ４．２００    １．６０３００    ６５．４４
２５    −８０．９５０      ０．２００
２６    ８８．７２９        ５．１１７    １．４８５６３    ８５．２
２７    −８１．５７９      ２．８００    １．８０５１８    ２５．４２
２８    −１４３．８９５    ０．５００
２９    ∞                  ７３．０００  １．５１６３３    ６４．１４
３０    ∞【００４８】（ズームデータ：物体から第１レンズ面までの距離２２５００のとき）
面番号      Ｗ      〜      Ｍ    〜    Ｔ
８  ４１．７１６〜２５．４００〜７．０２
１４    ６．９７０〜１２．３３３〜２１．２１７
１８  １１．０９１〜１２．０８８〜１３．６３９【００４９】（合焦：物体から第１レンズ面までの距離が４５００に移動するとき）
第１レンズ群Ｇ１が物体側に移動
Ｗ    〜    Ｍ    〜    Ｔ
２．３４４〜２．３１６〜２．２８６【００５０】（条件対応値）
Ｐ＝−５０８．４３、  Ｌｉｍｇ＝８８．５、  Ｌｇ２＝２７．６、  Ｌｇ１＝１８．６１、  Ｌａｌｌ＝１６１．４２、  φ１＝４６．０、  ｆ１＝−４３．９６、  ｆ２＝６３．７７、  ｆ３＝−４７．３５、  ｆ４＝４４．２７
｜Ｌｉｍ／Ｐ｜＝０．１７４、  Ｌｉｍ／ｆｗ＝３．６１２、  Ｌｇ２／ｆｗ＝１．１２７、  Ｌａｌｌ／ｆｗ＝６．５８８、  Ｌｇ２／Ｌｇ１＝１．４８３、  ｆ２／Ｌｇ２＝２．３１０、  φ１／Ｌａｌｌ＝０．２８５、  ｆ１／ｆｗ＝−１．７４９、  ｆ２／ｆｗ＝２．６０３、  ｆ３／ｆｗ＝−１．９３３、  ｆ４／ｆｗ＝１．８０７、  Ｌｇ２／ＬＬ１１＝５．９７【００５１】  図２に本実施例の各収差図を示す。尚、図２は、物体から第１面までの距離が２２５００のときの各収差図である。図２から分かるように、本実施例のズームレンズは、諸収差が良好に補正されている。【００５２】（第２実施例）
第２実施例のズームレンズは以下の通りであり、図３を参照しながら説明する。【００５３】  第１レンズ群Ｇ１は、順に、両凸レンズＬ１１と、物体側に凸面を向けた負メニスカスレンズＬ１２と、物体側に凸面を向けた負メニスカスレンズＬ１３と、両凹レンズＬ１４と、物体側に凹面を向けた正メニスカスレンズＬ１５と、から構成される。【００５４】  第２レンズ群Ｇ２は、順に、物体側に凹面を向けた正メニスカスレンズＬ２１と両凹レンズＬ２２と両凸レンズＬ２３との３枚貼り合わせレンズと、両凸レンズＬ２４と、から構成される。【００５５】  第３レンズ群Ｇ３は、順に、物体側に凹面を向けた正メニスカスレンズＬ３１両凹レンズＬ３２ととの貼り合わせレンズから構成される。【００５６】  第４レンズ群Ｇ４は、順に、物体側に凹面を向けた正メニスカスレンズＬ４１と、物体側に凹面を向けた負メニスカスレンズＬ４２と物体側に凹面を向けた正メニスカスレンズＬ４３との貼り合わせレンズと、両凸レンズＬ４４と、両凸レンズＬ４５と物体側に凹面を向けた負メニスカスレンズＬ４６との貼り合わせレンズと、から構成される。【００５７】  絞りＳは、第３レンズ群Ｇ３と第４レンズ群Ｇ４との間に配置される。また、第４レンズ群Ｇ４の像面Ｉｍ側には、プリズム部Ｐが配置される。【００５８】  ワイド端Ｗからテレ端Ｔへのズーミングの際に、第１レンズ群Ｇ１は、物体から遠ざかる方向に移動し、第２レンズ群Ｇ２は、物体に近づく方向に移動し、第３レンズ群Ｇ３は、一旦物体に近づく方向に移動した後物体から遠ざかる方向に移動する。絞りＳ及び第４レンズ群Ｇ４は、ズーミングの際に、固定である。【００５９】  合焦の際には、第３レンズ群Ｇ３が、光軸方向に動き、ピント合わせを行う。【００６０】  以下に、本実施例の緒元、基本データ、ズームデータ、合焦及び条件対応値を示す。
（緒元）
Ｗ  〜    Ｍ  〜    Ｔ
焦点距離  ２４．５〜２９．０〜３５．１
開放Ｆ値  全域で２．５
物体から第１レンズ面までの距離  ２２５００〜４５００
像高  １１．３５
プリズム部Ｐの最終面から像面Ｉｍまでの距離  １５．５【００６１】（基本データ）
面番号          ｒ              ｄ              ｎｄ              νｄ
１    １１８．２９４      ５．０００    １．６５１６０    ５８．４０
２    −５４４．１０８    ０．２００
３    ８９．２７１        ２．８００    １．４９７００    ８１．６１
４    ３５．４５４        ５．４６７
５    １５２．８６２      ２．６００    １．４９７００    ８１．６１
６    ４１．７８５        ７．５２０
７    −４８．０８９      ２．３００    １．４８９００    ８１．６１
８    ９０．４１５        ８．２１５
９    −２６６．３４４    ５．６００    １．４８７４６    ７０．０３
１０    −５４．３５６      可変
１１    −９０７．８７０    ６．３００    １．４８７４６    ７０．０３
１２    −３６．９６９      １２．４００  １．８０６１０    ３３．２７
１３    ８３３．１２９      ７．０００    １．６０３００    ６５．５１
１４    −６５．２７８      ０．２００
１５    １０３．１５９      ４．５００    １．７５５００    ５２．３２
１６    −１２１．７１０    可変
１７    −５７．３２４      ２．９００    １．９２２８６    １８．９０
１８    −３６．６９４      １．９００    １．６０３００    ６５．５１
１９    １６６．８５９      可変
２０    ∞                  ４８．０００
２１    −４１３．６４９    ４．５００    １．４９７００    ８１．６１
２２    −４９．４３１      ０．６５０
２３    −４１．４４９      １．７００    １．６７３００    ３８．２６
２４    −２３１１．０７１  ４．８００    １．４８５６３    ８５．２
２５    −５４．４９９      ０．２００
２６    ２９１．１７３      ４．３００    １．４９７００    ８１．６１
２７    −８０．８４６      ０．２００
２８    ７５．９１６        ６．０００    １．４９７００    ８１．６１
２９    −７０．１９２      ２．５００    １．６５４１２    ３９．６８
３０    −２９３．０５７    ０．５００
３１    ∞                  ７０．０００  １．５１６３３    ６４．１４
３２    ∞                  ３．０００    １．５０８４７    ６１．１９
３３    ∞【００６２】（ズームデータ：物体から第１レンズ面までの距離２２５００のとき）
面番号      Ｗ      〜      Ｍ    〜    Ｔ
１０  ３９．９００〜２６．７９１〜１４．８５８
１６    ３．１５０〜１２．１９６〜２４．２９９
１９    ４．３６４〜４．８５８〜３．５８３【００６３】（合焦：物体から第１レンズ面までの距離が４５００に移動するとき）
第３レンズ群Ｇ３が像面Ｉｍ側に移動
Ｗ    〜    Ｍ    〜    Ｔ
０．４２１〜０．５８２〜０．８５７【００６４】（条件対応値）
Ｐ＝−８５５１．５６、  Ｌｉｍｇ＝８９．０、  Ｌｇ２＝３０．２、  Ｌｇ１＝１８．３、  Ｌａｌｌ＝１９５．１７、  φ１＝５３．０、  ｆ１＝−６２．２６、  ｆ２＝６４．０９、  ｆ３＝−９１．７２、  ｆ４＝６０．４７
｜Ｌｉｍ／Ｐ｜＝０．０１０、  Ｌｉｍ／ｆｗ＝３．６３３、  Ｌｇ２／ｆｗ＝１．２３３、  Ｌａｌｌ／ｆｗ＝７．９６６、  Ｌｇ２／Ｌｇ１＝１．６５０、  ｆ２／Ｌｇ２＝２．１２２、  φ１／Ｌａｌｌ＝  ０．２７２、  ｆ１／ｆｗ＝−２．５４２、  ｆ２／ｆｗ＝２．６１６、  ｆ３／ｆｗ＝−３．７４４、  ｆ４／ｆｗ＝２．４６８、  Ｌｇ２／ＬＬ１１＝６．０４【００６５】  図４に本実施例の各収差図を示す。尚、図４は、物体から第１面までの距離が２２５００のときの各収差図である。図４から分かるように、本実施例のズームレンズは、諸収差が良好に補正されている。【００６６】（第３実施例）
第３実施例のズームレンズは以下の通りであり、図５を参照しながら説明する。【００６７】  第１レンズ群Ｇ１は、順に、両凸レンズＬ１１と、物体側に凸面を向けた負メニスカスレンズＬ１２と、物体側に凸面を向けた負メニスカスレンズＬ１３と、両凹レンズＬ１４と、物体側に凹面を向けた正メニスカスレンズＬ１５と、から構成される。【００６８】  第２レンズ群Ｇ２は、順に、両凸レンズＬ２１と両凹レンズＬ２２と両凸レンズＬ２３との３枚貼り合わせレンズと、物体側に凸面を向けた正メニスカスレンズＬ２４と、から構成される。【００６９】  第３レンズ群Ｇ３は、順に、絞りＳと、両凹レンズＬ３１と物体側に凸面を向けた正メニスカスレンズＬ３２との貼り合わせレンズから構成される。【００７０】  第４レンズ群Ｇ４は、順に、物体側に凹面を向けた正メニスカスレンズＬ４１と両凹レンズＬ４２と両凸レンズＬ４３との３枚貼り合わせレンズと、両凸レンズＬ４４と、両凸レンズＬ４５と物体側に凹面を向けた負メニスカスレンズＬ４６との貼り合わせレンズと、から構成される。【００７１】  第４レンズ群Ｇ４の像面Ｉｍ側には、プリズム部Ｐが配置される。【００７２】  ワイド端Ｗからテレ端Ｔへのズーミングの際に、第１レンズ群Ｇ１は、物体から遠ざかる方向に移動し、第２レンズ群Ｇ２は、物体に近づく方向に移動する。第３レンズ群Ｇ３及び第４レンズ群Ｇ４は、ズーミングの際に固定である。【００７３】  合焦の際には、第３レンズ群Ｇ３が、光軸方向に動き、ピント合わせを行う。【００７４】  以下に、本実施例の緒元、基本データ、ズームデータ、合焦及び条件対応値を示す。
（緒元）
Ｗ    〜    Ｍ  〜    Ｔ
焦点距離  ２３．３〜２８．０〜３３．３
開放Ｆ値  全域で２．５
物体から第１レンズ面までの距離  ２２０００〜４５００
像高  １１．３５
プリズム部Ｐの最終面から像面Ｉｍまでの距離１５．５【００７５】（基本データ）
面番号          ｒ              ｄ              ｎｄ              νｄ
１    ８６．４１０        ５．８００    １．６０３００    ６５．５１
２    −２１６８．０００  ０．２００
３    ７６．３６１        ２．８００    １．４９７００    ８１．６１
４    ３２．５４３        ５．２１０
５    １３３．５５７      ２．６０      １．４９７００    ８１．６１
６    ３９．８１１        ５．８９０
７    −６７．０００      ２．３００    １．８８３００    ４０．７６
８    ８８．９２０        ９．５５０
９    −１０２．８４９    ４．９００    １．７３８００    ３２．３３
１０    −４６．７１０      可変
１１    ２０４．６６７      １２．２５０  １．４８７４９    ７０．４４
１２    −３４．１００      １３．０００  １．７４９５０    ３５．３３
１３    ９５．０００        ２０．５００  １．７２０００    ５０．２３
１４    −５４．５２０      ０．２
１５    ６９．３２５        ４．２００    １．５１６８０    ６４．２０
１６    １６９．０７０      可変
１７    ∞                  ３．０００
１８    −９３．５００      ２．０００    １．６０３００    ６５．５１
１９    ４６．７１０        ２．９００    １．９２２８６    １８．９０
２０    １０９．３００      ４０．８９１
２１    −６０６．０００    ５．４００    １．４９７００    ８１．６１
２２    −３５．８３９      ２．０００    １．７４９５０    ３５．３３
２３    ２７２．７５０      ５．４００    １．４９７００    ８１．６１
２４    −５９．４５０      ０．２００
２５    １８７．０７０      ５．７００    １．４９７００    ８１．６１
２６    −７６．３６１      ０．２００
２７    ７３．０００        ７．４００    １．４９７００    ８１．６１
２８    −６９．１９０      ２．５００    １．７７２５０    ４９．６０
２９    −２７０．０００    ０．１９０
３０    ∞                  ７０．０００  １．５１６３３    ６４．１４
３１    ∞                  ３．０００    １．５０８４７    ６１．１６
３２    ∞【００７６】（ズームデータ：物体から第１レンズ面までの距離２２０００のとき）
面番号      Ｗ      〜      Ｍ    〜    Ｔ
１０    ４３．７７５〜３０．４６７〜２０．１１０
１６      １．８００〜１５．２３１〜３０．５７６【００７７】（合焦：物体から第１レンズ面までの距離が４５００に移動するとき）
第３レンズ群Ｇ３が像面Ｉｍ側に移動
Ｗ    〜    Ｍ    〜    Ｔ
０．３２８〜０．５２５〜０．７７３【００７８】（条件対応値）
Ｐ＝−８３１．１５、  Ｌｉｍｇ＝８８．６９、  Ｌｇ２＝４９．９５、  Ｌｇ１＝１８．４、  Ｌａｌｌ＝２１２．５１６、  φ１＝５０．０、  ｆ１＝−５２．０７、  ｆ２＝７２．６９、  ｆ３＝−１２５．３３、  ｆ４＝６５．５０
｜Ｌｉｍ／Ｐ｜＝０．１１、  Ｌｉｍ／ｆｗ＝３．８１、  Ｌｇ２／ｆｗ＝２．１４、  Ｌａｌｌ／ｆｗ＝９．１２、  Ｌｇ２／Ｌｇ１＝２．７２、  ｆ２／Ｌｇ２＝１．４６、  φ１／Ｌａｌｌ＝０．２４、  ｆ１／ｆｗ＝−２．２４、  ｆ２／ｆｗ＝３．１２、  ｆ３／ｆｗ＝−５．３８、  ｆ４／ｆｗ＝２．８１、  Ｌｇ２／ＬＬ１１＝８．６１【００７９】  図６に本実施例の各収差図を示す。尚、図６は、物体から第１面までの距離が２２０００のときの各収差図である。図６から分かるように、本実施例のズームレンズは、諸収差が良好に補正されている。【００８０】（第４実施例）
第４実施例のズームレンズは以下の通りであり、図７を参照しながら説明する。【００８１】  第１レンズ群Ｇ１は、順に、両凸レンズＬ１１と、両凹レンズＬ１２と、両凹レンズＬ１３と、両凹レンズＬ１４と、物体側に凹面を向けた正メニスカスレンズＬ１５と、から構成される。【００８２】  第２レンズ群Ｇ２は、順に、両凸レンズＬ２１と両凹レンズＬ２２と両凸レンズＬ２３との３枚貼り合わせレンズと、物体側に凸面を向けた正メニスカスレンズＬ２４と、から構成される。【００８３】  第３レンズ群Ｇ３は、順に、絞りＳと、両凹レンズＬ３１と物体側に凸面を向けた正メニスカスレンズＬ３２との貼り合わせレンズから構成される。【００８４】  第４レンズ群Ｇ４は、順に、両凹レンズＬ４１と、両凸レンズＬ４２と、両凸レンズＬ４３と、両凸レンズＬ４４と物体側に凹面を向けた負メニスカスレンズＬ４５との貼り合わせレンズと、から構成される。【００８５】  第４レンズ群Ｇ４の像面Ｉｍ側には、プリズム部Ｐが配置される。【００８６】  ワイド端Ｗからテレ端Ｔへのズーミングの際に、第１レンズ群Ｇ１は、物体から遠ざかる方向に移動し、第２レンズ群Ｇ２は、物体に近づく方向に移動する。第３レンズ群Ｇ３及び第４レンズ群Ｇ４は、ズーミングの際に固定である。【００８７】  合焦の際には、第３レンズ群Ｇ３が、光軸方向に動き、ピント合わせを行う。【００８８】  以下に、本実施例の緒元、基本データ、ズームデータ、合焦及び条件対応値を示す。
（緒元）
Ｗ  〜    Ｍ〜    Ｔ
焦点距離  ２３．２〜２７．９〜３３．２
開放Ｆ値  全域で２．５
物体から第１レンズ面までの距離  ２２０００〜４５００
像高  １１．３５
プリズム部Ｐの最終面から像面Ｉｍまでの距離  １５．５【００８９】（基本データ）
面番号          ｒ              ｄ              ｎｄ              νｄ
１    １０６．９７７      ５．８００    １．６０３００    ６５．５１
２    −２６６．０６２    ０．２００
３    −２７５．１８３    ２．８００    １．４９７００    ８１．６１
４    ４０．０２３        ４．１３６
５    −７６０．４９７    ２．６００    １．４９７００    ８１．６１
６    ５８．６９３        ６．６６２
７    −８１．７００      ２．３００    １．７８１７９    ４４．９０
８    ３２５．４２６      ９．４６９
９    −３２４．６３６    ４．７００    １．７３８００    ３２．３３
１０    −６７．７８４      可変
１１    ５７９．２６１      ７．４００    １．４８７４９    ７０．４４
１２    −２８．７５５      １９．８０３  １．７４９５０    ３７．０９
１３    ８６．７９９        １６．７１７  １．７７２５０    ４９．６０
１４    −５４．７３２      ０．２
１５    ８５．５６９        ４．５００    １．４８７４９    ７０．４４
１６    ４３７．５７６      可変
１７    ∞                  ２．０００
１８    −８２．４３７      ２．０００    １．６０３００    ６５．５１
１９    ４８．０８７        ２．９００    １．９２２８６    １８．９０
２０    １４２．２５３      ２７．４８４
２１    −３４７．４００    ２．５００    １．６９８９５    ３０．１３
２２    ６６．１６２        ０．２００
２３    ６２．９３２        ６．５００    １．４８５６３    ８５．２０
２４    −７６．４８４      ０．２００
２５    １００．２４９      ４．６００    １．４８５６３    ８５．２０
２６    −９６．０２７      ０．２００
２７    ７１．０４５        ６．６００    １．４３８７５    ９４．６６
２８    −６１．０３２      ２．５００    １．７１７３６    ２９．５２
２９    −７２３．９８４    ０．１９０
３０    ∞                  ７０．０００  １．５１６３３    ６４．１４
３１    ∞                  ３．０００    １．５０８４７    ６１．１６
３２    ∞【００９０】（ズームデータ：物体から第１レンズ面までの距離２２０００のとき）
面番号      Ｗ      〜      Ｍ    〜    Ｔ
１０  ４７．１９２〜３１．２０７〜１８．４２４
１６    ０．９２２〜１３．６８１〜２８．５７０【００９１】（合焦：物体から第１レンズ面までの距離が４５００に移動するとき）
第３レンズ群Ｇ３が像面Ｉｍ側に移動
Ｗ    〜    Ｍ    〜    Ｔ
０．３４３〜０．５１５〜０．７５８【００９２】（条件対応値）
Ｐ＝∞、  Ｌｉｍ＝８８．７、  Ｌｇ２＝４８．４２、  Ｌｇ１＝１８．２、  Ｌａｌｌ＝１９９．５８５、  φ１＝４７．０  ｆ１＝−６０．８１９、  ｆ２＝７８．０５７、  ｆ３＝−１４１．５０３、  ｆ４＝６８．７５８
｜Ｌｉｍ／Ｐ｜＝０、  Ｌｉｍ／ｆｗ＝３．８２、  Ｌｇ２／ｆｗ＝２．０９、  Ｌａｌｌ／ｆｗ＝８．６０、  Ｌｇ２／Ｌｇ１＝２．６６、  ｆ２／Ｌｇ２＝１．６１、  φ１／Ｌａｌｌ＝０．２４、  ｆ１／ｆｗ＝−２．６２、  ｆ２／ｆｗ＝３．３６、  ｆ３／ｆｗ＝−６．１０、  ｆ４／ｆｗ＝２．９６、  Ｌｇ２／ＬＬ１１＝８．３５【００９３】  図８に本実施例の各収差図を示す。尚、図８は、物体から第１面までの距離が２２０００のときの各収差図である。図８から分かるように、本実施例のズームレンズは、諸収差が良好に補正されている。
【符号の説明】
【００９４】Ｇ１：第１レンズ群
Ｇ２：第２レンズ群
Ｇ３：第３レンズ群
Ｇ４：第４レンズ群
Ｓ：絞り
Ｐ：プリズム部
Ｉｍ：像面
【図１】
2020126209.tif 000003
【図２】
2020126209.tif 000004
【図３】
2020126209.tif 000005
【図４】
2020126209.tif 000006
【図５】
2020126209.tif 000007
【図６】
2020126209.tif 000008
【図７】
2020126209.tif 000009
【図８】
2020126209.tif 000010